【事件の表示】
　特許第６７９４３３９号発明「火災時現場対応支援システム」の特許異議申立事件について、次のとおり決定する。
【結　論】
　特許第６７９４３３９号の請求項１に係る特許を維持する。
【理　由】
　
第１　手続の経緯
　特許第６７９４３３９号の請求項１に係る特許についての出願は，平成２９年１２月２７日に出願され，令和２年１１月１３日にその特許権の設定登録がされ，令和２年１２月２日に特許公報が発行された。その後，その特許に対し，令和３年６月２日に特許異議申立人　相川　和信が，特許異議の申立てを行った。
第２　本件発明
　特許第６７９４３３９号の請求項１の特許に係る発明は，その特許請求の範囲の請求項１に記載された事項により特定される次のとおりのものである。
「建物内に設置された火災検出センサの感知情報から，当該火災検出センサの設置位置近傍における火災の有無を検出する火災状況判定装置と，
　前記建物の平面図の画像を表示画面に表示し，前記平面図の画像において前記建物内の複数の防火区画の境界を他の線とは異なる態様の線で示し，前記火災状況判定装置により前記火災検出センサの感知情報から火災が検出された場合に，当該火災検出センサの設置位置に応じて，前記火災が発生している防火区画の名称と火災が発生している部屋又は区画とを前記表示画面に表示する情報伝達装置と，
　を有することを特徴とする火災時現場対応支援システム。」（以下，「本件発明」という。）
第３　申立ての理由の概要
　特許異議申立人　相川　和信（以下，「申立人」という。）は，以下の甲第１号証乃至甲第７号証を証拠として提出し，申立ての理由として，以下の申立理由を主張している。
　甲第１号証：特開昭６２−２７６６９３号公報
　甲第２号証：特許第３９２７８６２号公報
　甲第３号証：特開２００１−５２２７１号公報
　甲第４号証：特開２０００−３３１２５９号公報
　甲第５号証：特開２００５−１０７９５４号公報
　甲第６号証：実公平１−３８７１５号公報
　甲第７号証：特開昭５６−１４０４８９号公報
　申立理由
　本件特許の請求項１に係る発明は，甲第１号証及び甲第２号証に記載された発明に基いて，あるいは，甲第１号証，甲第３〜７号証に記載された発明に基づいて容易に発明をすることができたものであるから，本件特許の請求項１に係る特許は，特許法第２９条第２項の規定に違反してされたものであり，同法第１１３条第２号に該当するから，取り消されるべきものである。
第４　甲第１号証乃至甲第７号証の記載
１．甲１発明
　甲第１号証（下線は当審が付与。）には，
「（産業上の利用分野）
　
本発明は，
火災報知設備の表示装置に関する。
「（実施例）
　第１図は本発明の一実施例を示したブロック図である。
　まず構成を説明すると，１は監視室等に設置されたＣＲＴディスプレイ装置でおり，ＣＲＴコントローラ２による表示制御を受け，ＣＲＴコントローラ２は
グラフィックメモリ３に予め記憶されている表示データを読出してＣＲＴディスプレイ装置１に表示するようになる。こグラフィックメモリ３に記憶される表示データとしては，火災報知設備の監視対象となる警戒区域の平面図，例えばビル等にあっては階別毎に分けられた警戒区域の平面図がグラフィックデータとして記憶されており，更に警戒区域に設置している温度センサや煙濃度センサ等のアナログ火災センサの設置位置を示すセンサマーク，更に警戒区域に設置されている防火戸や防火シャッター，排煙口，垂れ壁等の防災機器の設置位置を表示するためのシンボルマーク，表示データが併せて記憶されている。
「第２図は第１図のＣＲＴディスプレイ装置１に表示される警戒区域平面図の一例を示した説明図である。
　第２図において，表示画面１ａにはライトペン４の入力操作で選択された警戒区域平面図６が表示されており，この警戒区域平面図６の中には煙濃度センサの設置位置を示す煙センサマーク７，温度センサの設置位置を示す温度センサマーク８，防火戸の設置位置を示す防火戸マーク９，避難誘導灯の設置位置を示す誘導灯マーク１０等が固有のシンボルマークによって表示されている。」（３頁右上欄７〜１７行）
「再び第１図を参照するに，ＣＲＴコントローラ２に対しては確認信号ラッチ回路１２を介して警戒地区に設置した煙濃度センサ及び温度センサからの検出信号，更には防火戸や防火シャッター等の防災機器の制御状態を示す信号が入力している。具体的にはセンサデータについては，図示しない火災受信盤のデータメモリに記憶されているセンサデータが順次読出されて与えられており，この
センサデータについては所定レベルを超えるセンデータが得られた時，確認信号ラッチ回路１２にセンサデータが与えられてラッチされるようになる。
確認信号ラッチ回路１２でラッチされたセンサ検出信号及び防災機器の作動信号，例えば防火戸の起動完了信号は，ＣＲＴコントローラ２に対しオペレータによる確認操作を促すためのシンボルマークの点滅制御を指令するようになる。
煙濃度センサによる検出煙濃度が所定レベルを超えると，対応する煙センサマーク７が点滅表示されるようになる。
「第４図は本発明の表示装置が適用される
アナログ火災報知設備
　第４図において、
２１は火災受信盤であり、
火災受信盤２１はポーリングによりセンサから得られたデータを所定の火災判断レベルと比較し、火災判断レベルを超えるセンサデータが得られた時に、火災と判断して地区ベルの鳴動や火災表示灯の点灯等により火災警報を出すようになる。
　第４図のシステム溝成において、第１図に示した本発明の表示制御は、
制御装置２５
制御装置２５にはＣＲＴコントローラ２を介してＣＲＴディスプレイ装置１
が接続されており、
「【第１図】
」
「【第２図】
」
「【第４図】
」
　の記載があるから，甲第１号証には，
「アナログ火災報知設備であって、
　前記アナログ火災報知設備は、火災受信盤２１、制御装置２５、ＣＲＴコントローラ２を介したＣＲＴディスプレイ装置１を備えており、
　ビル等にあっては階別毎に分けられた警戒区域の平面図と，警戒区域に設置している温度センサや煙濃度センサ等のアナログ火災センサの設置位置を示すセンサマーク，更に警戒区域に設置されている防火戸や防火シャッター，排煙口，垂れ壁等の防災機器の設置位置を表示するためのシンボルマーク，表示データが併せて記憶されているグラフィックメモリ３の表示データを読み出して，ＣＲＴディスプレイ装置１に表示し，
　センサデータについては所定レベルを超えるセンデータが得られた時，確認信号ラッチ回路１２にセンサデータが与えられてラッチされ，確認信号ラッチ回路１２でラッチされたセンサ検出信号は，ＣＲＴコントローラ２に対しオペレータによる確認操作を促すためのシンボルマークの点滅制御を指令して，煙濃度センサによる検出煙濃度が所定レベルを超えると，対応する煙センサマーク７が点滅表示され，
　火災受信盤２１はポーリングによりセンサから得られたデータを所定の火災判断レベルと比較し、火災判断レベルを超えるセンサデータが得られた時に、火災と判断して地区ベルの鳴動や火災表示灯の点灯等により火災警報を出すようになる，
　火災報知設備。」（以下，「甲１発明」という。）
　の発明が記載されている。
２．甲２発明
　甲第２号証（下線は当審が付与。）には，
「【００１９】
【発明の実施の形態】
以下，この発明の実施の形態について，図面を参照しながら説明する。
図１は，
本発明の一例としての防災表示装置を備える防災システムを示している。
「【００２５】
ＣＲＴ１１は，防災システム１の現在の状況や警報を表示するとともに，履歴記憶部２３の履歴情報に基づいて過去のイベントを表示する表示手段である。以下，ＣＲＴ１１における表示動作について説明していく。
図３は，通常の監視状態における表示を示す通常表示画面３０である。通常表示画面３０には，主に各フロアを平面図で示す主画面３１と，フロア表示部３１の右側に設けられた操作ボタン群３２とから構成される。
【００２６】
図３に限らず，ＣＲＴ１１では，各フロアを表示する場合，フロアの概要とともに前述の火災感知器５や防排煙端末６の一例としての端末機器がそれぞれ固有のシンボルで，設置されている実際の場所に対応するように表示される。
例えば，「Ｓ」は煙感知器，「Ｈ」は熱感知器のシンボルである。煙感知器，熱感知器を含めて，各地区ごとに一連番号が付され，シンボルマークの傍に表示されている。符号Ｔは非常電話を，符号Ｗは消火栓を，符号Ｅは排煙口を示すシンボルである。また，
符号Ｄ１〜Ｅ５はそれぞれ防火戸を示す
「【００３０】
防災システム１内で火災が発生すると，
防災表示装置１０はこのイベント情報に対応して，ＣＲＴ１１の表示を強制的に図４に示す火災報知画面（イベント報知画面）６０に切り替える。
火災報知画面６０は，主画面６１と，操作ボタン群６２と，イベント表示部６３とから構成される。
イベント表示部６３には，発生したイベント（火災）に関する詳細事項が表示される。ここの表示から，８階の第３地区の煙感知器からのイベント情報であることが分かる。イベント表示部６３の上部に表示されている，「火災００１」，「ガス漏れ０００」，「防排煙０００」という表示はイベントの件数を表し，火災が１件発生したが，ガス漏れや防排煙機器の作動はないことを示す。ガス漏れが検出されたり，防排煙機器が作動すれば，それぞれ「０００」から「００１」に表示が替わる。
【００３１】
主画面６１には，火災を発報したフロア図が表示され，そのうち，火災を報知した煙感知器Ｓ１のシンボルマークと，煙感知器Ｓ１が設置されている第３地区のシンボルマークである「Ａ３」と，第３地区の外形線Ｌ１が赤色に表示される。
また，操作ボタン群３２のフロア表示部３２ｄには現在表示されているフロアである「８階」が他の階とは異なる背景色で表示され，棟選択ボタン３２ｅには該当するフロアを含む棟が表示されている。これら主画面６１や操作ボタン群３２の表示により，視覚的に防災システム１内のどの場所で火災が発生したのか把握することができる。
出火階ボタン３４ｆは，火災が発生していることを示すべく，他のボタンとは違う背景色（例えば赤色）で表示されている。赤く点灯しているボタン３４ｆを操作すると出火しているフロア名のリストを表示した出火階選択ウインドウ（図示せず）を表示する。ウインドウに表示されたリストからフロア名を選択すると該当画面に切り替わる。
火災報知画面６０であっても，フロア表示部３２ｄで異なるフロアを選択したり，直上階ボタン３４ｄ，直下階ボタン３４ｅを操作することで，主画面６１に異なるフロアを表示することも可能である。この状態で，出火階ボタン３４ｆを操作することで再び出火階のフロアを表示する。
【００３２】
操作ボタン群３２の強調表示ボタン（表示状態選択手段）３５を操作すると、図５に示す強調表示画面７０が表示される。強調表示画面７０は、火災報知画面６０と同様に、主画面７１と、操作ボタン群７２と、イベント表示部７３とから構成される。
強調表示画面７０の主画面７１では、煙感知器Ｓ１のシンボルマークと、第３地区のシンボルマークである「Ａ３」と、外形線Ｌ１の赤色表示が、火災報知画面６０における赤色表示よりも明度を上げコントラストを高く表示される。加えて、それ以外の箇所、つまり火災発報とは無関係の青色で表示されている端末機器の青色やフロアのベージュ色、背景色の暗青色のコントラストを下げて表示する。このようにコントラストに差をつけ強調することで、火災が発生した箇所がより明確に表示される。強調表示ボタン３５をもう一度操作すると、火災報知画面６０に戻る。
このような強調表示は、シンボルがフロアや地区に密集している場合や、１フロアの地区が細かく区切られている場合や、１フロアの大きさに対して表示画面が小さい場合などの、１地区を比較的大きく表示できないような場合に特に有用である。
強調表示画面７０及び火災報知画面６０のいずれが表示されていても、前記煙感知器Ｓ１が復旧し、全ての端末機器が正常になった時点で、ＣＲＴ１１の表示は前記通常表示画面３０に戻るとともに、出火階ボタン３４ｆの背景色も赤色から元に戻る。」
「【図４】
　なお、図４によれば，火災報知画面には，実線と二重線の２種類の態様の線で記載されているフロアが表示され，防火戸Ｄ５は，二重線で囲まれた領域の内側に存在している。」
「【００３６】
なお、図３などで一画面戻りボタン３４ｃとして表示されているボタンはここでは、リプレイボタン３４ｃｃとして表示されている。
主画面４１において一覧のうちの１つのイベントを指定した状態（図６の白抜き表示）で、リプレイボタン３４ｃｃをクリックすると、例えば図７に示すように、そのイベントを発生したフロアのその時の様子が再現表示される。この画面はリプレイ表示画面（履歴再現画面）５０という。すなわち、リプレイボタン３４ｃｃが本発明の選択手段となる。リプレイ表示画面５０は、主画面５１と、操作ボタン群５２と、関連履歴表示部５５とから主に構成される。
【００３７】
メッセージエリアである関連履歴表示部５５の一番上には、図６の履歴一覧画面４０で選択した項目が表示されている。ここでは、白抜きで「定温式熱感知器の火災報」に関するイベントｘ１が選択されている様子が表示されている。その下には、現在選択されている項目と関連のある項目が表示されている。ここでは、イベントｘ１と時系列的に近いイベントが表示されている。
【００３８】
主画面５１には、イベントｘ１に対応したフロア図がイベント発生時の状態と同じ状態で表示される。ここでは、
「第６地区」の区画の外形線Ｌ２と、この地区内に設置されている「熱感知器２」Ｈ２と、第６地区であることを示す「Ａ６」が、図４の表示と同様の状態で、つまり、赤色で表示される。この表示により、履歴表示におけるイベントｘ１が、「第６地区の熱感知器Ｈ２」の発報によるものであることが視覚的に理解できる。
さらに、リプレイ表示画面５０においても強調表示ボタン３５は有効であることから、図７の表示状態で強調表示ボタン３５を操作することで、図５同様の強調表示に切り替えることもできる。
なお、リプレイ表示画面５０及び図８の連動リプレイ表示画面８０で表示される符号３９は一覧ボタンであり、該一覧ボタン３９を操作すると図６の履歴一覧画面４０に戻る。」
「【図７】
　なお、図７によれば，「第６地区」は防火戸Ｄ３で区切られているが，「第５地区」との間には防火戸が存在していない。」
「【第８図】
」
　の記載があるから，甲第２号証には，
「ＣＲＴ１１は，主画面６１と，操作ボタン群６２と，イベント表示部６３とから構成される火災報知画面（イベント報知画面）６０を表示し，
　主画面６１には，火災を発報したフロア図が表示され，そのうち，火災を報知した煙感知器Ｓ１のシンボルマークと，煙感知器Ｓ１が設置されている第３地区のシンボルマークである「Ａ３」と，第３地区の外形線Ｌ１が赤色に表示され，
　イベントｘ１が、「第６地区の熱感知器Ｈ２」の発報によるものである場合，「第６地区」の区画の外形線Ｌ２と、この地区内に設置されている「熱感知器２」Ｈ２と、第６地区であることを示す「Ａ６」が、赤色で表示され，
　防火戸Ｄ５は二重線で囲まれた領域の内側に存在し，「第５地区」と「第６地区」の間には防火戸は存在していない，
　防災表示装置を備えるシステム」（以下，「甲２発明」という。）
　の発明が記載されている。
３．甲３発明
　甲第３号証（下線は当審が付与。）には，
「【０００１】
【発明の属する技術分野】本発明は火災信号等の防災情報を受けて画像表示装置のＣＲＴ画面上に建物の平面又は断面と各種の防災表示を映出する
防災表示装置
に関するものである
「【０００４】本発明は，このような問題点を解決するためになされたものであり，画像表示装置のＣＲＴ画面上で防災シンボル又は防災シンボルを表示している警戒区域全体あるいは境界線が点滅している状態でハードコピーのプリントアウトを実行しても，ハードコピーには防災シンボル又は警戒区域全体あるいは境界線が点灯状態でプリントアウトされるようにした防災表示装置を得ることを目的とする。」
「【０００８】４ａは画像表示装置４のＣＲＴ画面，４ｂはＣＲＴ画面４ａの画面中央部において，例えば建物の所望の階の平面の一部又は全体を表示するグラフィックエリア，４ｃはＣＲＴ画面４ａの画面上部左側において，例えば「本館２階の平面図」等のタイトル及び火災感知器が火災を感知したことを代表的に表示するタイトル表示部，４ｄは画面上部真中側において，例えば「ガイダンス」，「シンボル凡例」，「取り扱い」等を表示するメニューバー，４ｅは画面上部右側において，例えば「時刻」を表示する時計表示部，４ｆは画面中央右側において，例えば「メニュー」「前ページ」，「音響停止」，「ハードコピー」等の表示釦を表示する操作表示部，
４ｇは画面下部下側において，例えば「１２時４５分　火災感知器　発報　本館２階レストラン」等のイベントを表示するイベントリスト表示部，
「【００１１】この状態で，例えば
建物の２階の２−１と２−３と２−５の警戒区域で火災が発生し，それらの警戒区域のオン・オフ型火災感知器ＦＤが火災を感知すると，それらの火災感知器ＦＤの火災信号を防災受信機１に出力し，防災受信機１ではそれらの火災感知器ＦＤの火災信号から何階のどの警戒区域に火災が発生したかが分かる。そこで，防災受信機１は何階のどの警戒区域の火災感知器がＦＤが火災を発報したかを示す火災表示指令を表示制御部３に出力する。
【００１２】そうすると，
表示制御部３では，今までグラフィックエリア４ｂに表示されている建物の２階の平面図の表示画面又は「平常監視中」の表示画面から，防災受信機１からの火災表示指令に基づき図２の（ａ）に示すように２階の２−１，２−３，２−５の警戒区域の防災シンボルの一種である火災シンボルＳを白抜き表示から赤色点滅表示に切り替える。従って，画像表示装置４のＣＲＴ画面４ａのグラフィックエリア４ｂに赤色点滅表示されている火災シンボルＳを見ることにより，何階の警戒区域で火災が発生したのか，または何階のどの辺で火災が発生したかを的確に確認できる。
「【００１７】また，
点滅している火災シンボル又は防災シンボルに限らず，その火災シンボル又は防災シンボルを表示している警戒区域全体あるいは警戒区域の境界線が火災シンボル又は防災シンボルと同様に点滅表示している場合には，その警戒区域の表示画面をハードコピーする時に，警戒区域全体あるいはその境界線を点滅表示から点灯表示に切り替えて
　の記載があるから，甲第３号証には，
「建物の２階の２−１と２−３と２−５の警戒区域で火災が発生し，それらの警戒区域のオン・オフ型火災感知器ＦＤが火災を感知すると，それらの火災感知器ＦＤの火災信号を防災受信機１に出力し，防災受信機１ではそれらの火災感知器ＦＤの火災信号から何階のどの警戒区域に火災が発生したかが分かり，防災受信機１は何階のどの警戒区域の火災感知器がＦＤが火災を発報したかを示す火災表示指令を表示制御部３に出力し，
　表示制御部３では，今までグラフィックエリア４ｂに表示されている建物の２階の平面図の表示画面又は「平常監視中」の表示画面から，防災受信機１からの火災表示指令に基づき２階の２−１，２−３，２−５の警戒区域の防災シンボルの一種である火災シンボルＳを白抜き表示から赤色点滅表示に切り替えることにより，
　画像表示装置４のＣＲＴ画面４ａのグラフィックエリア４ｂに赤色点滅表示されている火災シンボルＳを見ることにより，何階の警戒区域で火災が発生したのか，または何階のどの辺で火災が発生したかを的確に確認でき，
　画面下部下側において，「１２時４５分　火災感知器　発報　本館２階レストラン」等のイベントをイベントリスト表示部４ｇに表示し，
　点滅している火災シンボル又は防災シンボルに限らず，その火災シンボル又は防災シンボルを表示している警戒区域全体あるいは警戒区域の境界線が火災シンボル又は防災シンボルと同様に点滅表示している場合もある，
　防災表示装置。」（以下，「甲３発明」という。）
　の発明が記載されている。
４．甲４発明
　甲第４号証（下線は当審が付与。）には，
「【０００１】
【発明の属する技術分野】本発明は火災信号等の防災情報を受けてＣＲＴ等の画像表示装置上に防災シンボルを表示する
防災表示装置に関する
「【００１７】図２はＣＲＴ２１の画面のレイアウトを示し，２１ａは画面中央部において，例えば建物Ｂの所望の階の平面図の一部又は全体を表示するグラフィックエリア，２１ｂは画面上部左側において例えば「本館２階の平面図」等のタイトル及び火災感知器が火災を感知したことを代表的に表示する火災代表を表示するタイトル表示部，２１ｃは画面上部真中側において例えば「ガイダンス」，「シンボル凡例」，「取り扱い」等を表示するメニューバー，２１ｄは画面上部右側において例えば「時刻」を表示する時計表示部，２１ｅは画面中央右側において例えば「メニュー」，「前ページ」，「拡大表示」，「縮小表示」等の操作ボタンを表示する操作表示部，
２１ｆは画面下部左側において例えば「１２時４５分　火災感知器　発報　本館２階レストラン」等のイベントを表示するイベントリスト表示部
「【００２３】この状態で，
例えば建物Ｂの２階の２−Ｂの警戒区域で火災が発生し，その警戒区域のオン・オフ型火災感知器ＦＤが火災を感知すると，その火災感知器ＦＤの火災信号を防災受信機１０に出力し，防災受信機１０ではその火災感知器ＦＤの火災信号から何階のどの警戒区域に火災が発生したか分かる。そこで，防災受信機１０は何階のどの警戒区域の火災感知器ＦＤが火災を発報したかを示す火災表示指令を表示制御部２０に出力する。そうすると，表示制御部２０では，今まで図３に示すようにグラフィックエリア２１ａに表示されている建物Ｂの２階の平面図をデフォルト位置で表示する表示画面または「平常監視中」の表示画面或いは系統図の表示画面から，防災受信機１０からの火災表示指令に基づき図４に示すように２階の２−Ｂの警戒区域の火災シンボルＳをグラフィックエリア２１ａの中心点（真ん中）にしたその周辺の表示に切り替える。
【００２４】このとき，
グラフィックエリア２１ａ及びキープラン表示部２１ｈの火災発生箇所では，火災シンボルＳが白抜き表示から赤色点滅表示に切り替わると共に，タイトル表示部２１ｂ内の火災代表表示を行う箇所で火災シンボルＳ（図示せず）が赤色点滅表示する。さらに，ＣＲＴ２１のキープラン表示部２１ｈでは赤色点滅表示する火災シンボルＳ上にクロス点Ｘが生じるようにクロスバーが表示される。従って，ＣＲＴ２１のグラフィックエリア２１ａとキープラン表示部２１ｈに赤色表示されている火災シンボルＳ及びクロス点Ｘを見ることにより，何階のどの警戒区域で火災が発生したのか，または何階のどの辺で火災が発生したかを的確に確認できる。
「【００４０】なお，グラフィックエリアの真ん中に表示する場所は火災シンボルまたは火災感知器シンボルの位置に限定されず，火災が感知されている時，感知されていない時に関わらず，キープラン表示部に表示されている全体平面図上においてマウスでクリックした場所としてもよい。この場合，クリックした場所がキープラン表示部でクロス点Ｘが表示される場所となる。また，火災表示はグラフィックエリアの火災シンボルまたは火災感知器シンボルの赤色点滅表示で説明したが，点灯表示でもよい。さらに，
火災表示は，火災シンボルまたは火災感知器シンボルの他に，タイトル表示部の火災代表表示の火災シンボル，または火災感知器が設置されている警戒区域の外周を火災シンボルまたは火災感知器シンボルと同じような表示方法で表示してもよい。
　の記載があるから，甲第４号証には，
「建物Ｂの２階の２−Ｂの警戒区域で火災が発生し，その警戒区域のオン・オフ型火災感知器ＦＤが火災を感知すると，その火災感知器ＦＤの火災信号を防災受信機１０に出力し，防災受信機１０ではその火災感知器ＦＤの火災信号から何階のどの警戒区域に火災が発生したか分かり，防災受信機１０は何階のどの警戒区域の火災感知器ＦＤが火災を発報したかを示す火災表示指令を表示制御部２０に出力し，表示制御部２０では，今までグラフィックエリア２１ａに表示されている建物Ｂの２階の平面図をデフォルト位置で表示する表示画面または「平常監視中」の表示画面或いは系統図の表示画面から，防災受信機１０からの火災表示指令に基づき２階の２−Ｂの警戒区域の火災シンボルＳをグラフィックエリア２１ａの中心点（真ん中）にしたその周辺の表示に切り替え，
　グラフィックエリア２１ａ及びキープラン表示部２１ｈの火災発生箇所では，火災シンボルＳが白抜き表示から赤色点滅表示に切り替わると共に，タイトル表示部２１ｂ内の火災代表表示を行う箇所で火災シンボルＳが赤色点滅表示し，ＣＲＴ２１のキープラン表示部２１ｈでは赤色点滅表示する火災シンボルＳ上にクロス点Ｘが生じるようにクロスバーが表示され，ＣＲＴ２１のグラフィックエリア２１ａとキープラン表示部２１ｈに赤色表示されている火災シンボルＳ及びクロス点Ｘを見ることにより，何階のどの警戒区域で火災が発生したのか，または何階のどの辺で火災が発生したかを的確に確認でき，
　「１２時４５分　火災感知器　発報　本館２階レストラン」等のイベントをイベントリスト表示部４ｆに表示し，
　火災シンボルまたは火災感知器シンボルの他に，タイトル表示部の火災代表表示の火災シンボル，または火災感知器が設置されている警戒区域の外周を火災シンボルまたは火災感知器シンボルと同じような表示方法で表示してもよい，
　防災表示装置。」（以下，「甲４発明」という。）
　の発明が記載されている。
５．甲５発明
　甲第５号証（下線は当審が付与。）には，
「【００１５】
実施形態１
　図１はこの発明の
第１の実施形態にかかる火災報知設備
「【００１７】
　そして，
Ｒ−ＡＴ感知器５０は，伝送線Ｌ１に接続されるとともに，アドレスが付与されて端末機器として個別に火災受信機１０と信号伝送を行うものであり，
【００１８】
　さらに，図１において，中継器２０は，制御部２１と，送受信部２２と，信号検出部２３と，信号送出部２４とから構成されている。それぞれ詳細には説明しないが，この制御部２１は，ＣＰＵやタイマ等を含む。また，送受信部２４は，伝送線Ｌ１を介して火災受信機１０と信号伝送するための伝送回路を含む。そして，信号検出部２３および信号送出部２４は，感知器回線Ｌ２を介して複数のＰ−ＡＴ感知器３０に接続されている。
【００１９】
　そして，
Ｐ−ＡＴ感知器３０は，感知器回線Ｌ２に対して一般的なオンオフ型感知器と同様の火災信号を出力するものであり，
「【００３９】
　このようにして，火災受信機１０は，
Ｒ−ＡＴ感知器５０からの火災信号または異常信号については，伝送線Ｌ１上の信号伝送によりアドレスによって個別に収集することができ，また，Ｐ−ＡＴ感知器３０からの火災信号については，感知器回線Ｌ２ごとに試験機能付き中継器２０により検出されて，伝送線Ｌ１上の信号伝送によりアドレスによって感知器回線Ｌ２ごとに収集され，
「【００４３】
　図６は，ＣＲＴ表示部４４における表示画面の基本構成の内，グラフィックエリアに表示される平面図の一例を示す。ここで，詳細に説明しないが，
表示画面の基本構成は，平面図等の表示領域としてのグラフィックエリアを中心に，操作項目を示すメニューバー，時刻表示エリア，平面図等の表示操作項目を示す共通操作エリア，火災情報等の発報表示領域としてのイベントリストエリア，および設備全体の状態に係わる状態表示領域としてのシステムメッセージエリア等が配置されている。
【００４４】
　図６において，
平面図に対する地区および火災感知器のシンボル表示として，感知器回線Ｌ２に基づく地区が丸数字で１から３まで，そして，Ｒ−ＡＴ感知器５０に該当する火災感知器のシンボルに，丸数字で使われている番号に連続する通し番号が付与されて４から１２まで，それぞれ配置されている。ここで，通し番号５は熱感知器（四角内にＨのシンボル）を示し，その他の火災感知器は煙感知器（四角内にＳのシンボル）である。その他，ここに用いられていないが炎感知器や光電式分離型感知器等，各種センサ種別を区別できるシンボルが用意されている。
「【００５０】
　図８は，図６の平面図において，火災が発生した場合の異なる平面図であり，
倉庫Ａで火災が発生した場合
【００５１】
　このとき，
倉庫Ａを含む通し番号３の地区が火災として表示され，通常青色で表示している地区の丸数字および境界線の内，境界線を赤色で点滅表示するとともに，火災発生を示す炎マークを該当丸数字の近傍に添えて赤色に表示する。これによって表示画面内において，火災を検知したＰ−ＡＴ感知器３０が接続された感知器回線Ｌ２に基づいて火災の位置が概略で把握できるとともに，上記と同様，炎マークを添えることにより，表示関係について熟知しない者が見ても，火災発生であろうことが予測できる。
　の記載があるから，甲第５号証には，
「表示画面の基本構成は，平面図等の表示領域としてのグラフィックエリアを中心に，操作項目を示すメニューバー，時刻表示エリア，平面図等の表示操作項目を示す共通操作エリア，火災情報等の発報表示領域としてのイベントリストエリア，および設備全体の状態に係わる状態表示領域としてのシステムメッセージエリア等が配置され，
　Ｒ−ＡＴ感知器５０は，伝送線Ｌ１に接続されるとともに，アドレスが付与されて端末機器として個別に火災受信機１０と信号伝送を行うものであり，
　Ｐ−ＡＴ感知器３０は，感知器回線Ｌ２に対して一般的なオンオフ型感知器と同様の火災信号を出力するものであり，
　Ｒ−ＡＴ感知器５０からの火災信号または異常信号については，伝送線Ｌ１上の信号伝送によりアドレスによって個別に収集することができ，また，Ｐ−ＡＴ感知器３０からの火災信号については，感知器回線Ｌ２ごとに試験機能付き中継器２０により検出されて，伝送線Ｌ１上の信号伝送によりアドレスによって感知器回線Ｌ２ごとに収集され，
　平面図に対する地区および火災感知器のシンボル表示として，感知器回線Ｌ２に基づく地区が丸数字で１から３まで，そして，Ｒ−ＡＴ感知器５０に該当する火災感知器のシンボルに，丸数字で使われている番号に連続する通し番号が付与されて４から１２まで，それぞれ配置され，通し番号５は熱感知器（四角内にＨのシンボル）を示し，その他の火災感知器は煙感知器（四角内にＳのシンボル）であり，ここに用いられていないが炎感知器や光電式分離型感知器等，各種センサ種別を区別できるシンボルが用意されており，
　倉庫Ａで火災が発生した場合，倉庫Ａを含む通し番号３の地区が火災として表示され，通常青色で表示している地区の丸数字および境界線の内，境界線を赤色で点滅表示するとともに，火災発生を示す炎マークを該当丸数字の近傍に添えて赤色に表示することにより，表示画面内において，火災を検知したＰ−ＡＴ感知器３０が接続された感知器回線Ｌ２に基づいて火災の位置が概略で把握できるとともに，炎マークを添えることにより，表示関係について熟知しない者が見ても，火災発生であろうことが予測できる，
　火災報知設備。」（以下，「甲５発明」という。）
　の発明が記載されている。
６．甲第６号証の記載
　甲第６号証（下線は当審が付与。）には，
「従来，火災感知器等の検出器にスピーカ等の音響変換器を設け，火災検出時に検出器のスピーカより警報音を出力するようにした装置としては，例えば特開昭５４−５６９８号公開記載の自動火災報知装置がある。
　この自動火災報知装置では，受信機よりの線路間に接続された感知器の各々にスピーカを設け，受信機が火災検出信号を受信したときには，線路間に可聴周波信号を出力して重畳させ，火災を検出している感知器のスピーカにより警報音を出力させるようにしている。
　ところで，
火災警報設備では，一般に防火区画で仕切られた警戒区域毎に回線を布設して複数の感知器を設置し，この防火区画内で間仕切りにより分けられている各部屋毎に感知器を設置している。
　の記載があるから，甲第６号証には，
「火災報知装置では，防火区画で仕切られた警戒区域毎に回線を布設して複数の感知器を設置し，この防火区画内で間仕切りにより分けられている各部屋毎に感知器を設置している」（以下，「甲６記載技術」という。）
　ことが記載されている。
７．甲第７号証の記載
　甲第７号証（下線は当審が付与。）には，
「特許請求の範囲
（１）　火災報知用感知器の作動により火災報知を行わせるとともに防排煙用感知器の作動により防排煙機器を作動させる如くして防災システムを形成し，
火災報知用感知器が作動したとき警戒区域および警戒区域番号を表示する如くし，
防災システム
　の記載があるから，甲第７号証には，
「火災報知用感知器が作動したとき警戒区域および警戒区域番号を表示する防災システム」（以下，「甲７記載技術」という。）
　ことが記載されている。
第５　当審の判断
１．本件発明と甲１発明の対比
　本件発明と甲１発明を対比する。
（１）甲１発明において「警戒区域」は，「ビル等にあっては階別毎に分けられた」区域であるから，「警戒区域に設置している温度センサや煙濃度センサ等のアナログ火災センサ」は，本件発明の「建物内に設置された火災検出センサ」であるといえる。
　甲１発明の「火災受信盤２１」は，「ポーリングによりセンサから得られたデータを所定の火災判断レベルと比較し、火災判断レベルを超えるセンサデータが得られた時に、火災と判断」しているから，「火災検出センサの感知情報から，当該火災検出センサの設置位置近傍における火災の有無を検出する火災状況判断装置」であるといえる。
（２）甲１発明は，「ビル等にあっては階別毎に分けられた警戒区域の平面図」を含むグラフィックメモリ３の表示データを読み出して，ＣＲＴディスプレイ装置１に表示し」ているから，「前記建物の平面図の画像を表示画面に表示し」ているといえる。
（３）上記（１）で記載したことをふまえると，甲１発明の「センサデータについては所定レベルを超えるセンデータが得られた時」は「前記火災状況判定装置により前記火災検出センサの感知情報から火災が検出された場合」である。
（４）したがって，本件発明と甲１発明とは，
「建物内に設置された火災検出センサの感知情報から，当該火災検出センサの設置位置近傍における火災の有無を検出する火災状況判定装置と，
　前記建物の平面図の画像を表示画面に表示し，前記火災状況判定装置により前記火災検出センサの感知情報から火災が検出された場合に，当該火災検出センサの設置位置に応じて，所定の表示をする情報伝達装置と，
　を有することを特徴とする火災時現場対応支援システム。」
　で一致し，下記の点で相違する。
（相異点１）
　本件発明は「前記平面図の画像において前記建物内の複数の防火区画の境界を他の線とは異なる態様の線で示し」ているのに対し，甲１発明は防火区画に関する記載がない点。
（相異点２）
　前記火災状況判定装置により前記火災検出センサの感知情報から火災が検出された場合に，本件発明は「当該火災検出センサの設置位置に応じて，前記火災が発生している防火区画の名称と火災が発生している部屋又は区画とを前記表示画面に表示する」のに対し，甲１発明は「対応する煙センサマーク７が点滅表示」される点。
　
２．相異点の検討
　相違点について以下検討する。
（１）相異点１について
（１−１）甲２発明について
　甲２発明の「地区」について検討すると，第３地区に設置されている煙感知器Ｓ１が火災を発報すると，第３地区の外形線Ｌ１が赤色に表示されるものであり，甲第２号証の図４を参照すれば二重線が地区の外形線であると理解するのが自然である。
　一方，防火戸で防火区画が区切られることが技術常識であることをふまえれば，甲２発明は，防火戸Ｄ５が二重線で囲まれた図形の内側に存在しており，第５地区と第６地区の間には防火戸は存在していないから，二重線は防火区画とは異なる区画を示していることが明らかである。
　つまり，甲２発明の「地区」は防火区画とは異なる区画であるから，甲２発明は「複数の防火区画の境界を他の線とは異なる態様の線で示し」てはいない。
（１−２）甲３−５発明，甲６記載技術，甲７記載技術について
　甲３発明は「その火災シンボル又は防災シンボルを表示している警戒区域全体あるいは警戒区域の境界線が火災シンボル又は防災シンボルと同様に点滅表示」するものの，「警戒区域の境界を他の線とは異なる態様の線で示す」ことは記載されていない。
　また，甲４発明は，「火災感知器が設置されている警戒区域の外周を火災シンボルまたは火災感知器シンボルと同じような表示方法で表示してもよい」ものの，「警戒区域の境界を他の線とは異なる態様の線で示す」ことは記載されていない。
　したがって，甲６記載技術をふまえて，「警戒区域」が「防火区画で仕切られた」ものであることが一般的であることを考慮しても，「警戒区域」は「防火区画で仕切られ」るものであって，「防火区画」と同じではないから，「複数の防火区画の境界を他の線とは異なる態様の線で示し」ていることは甲３発明，甲４発明には記載されていない。
　一方，甲５発明は，「感知器回線Ｌ２に基づく地区が丸数字で１から３まで」付与されて，「倉庫Ａで火災が発生した場合，倉庫Ａを含む通し番号３の地区が火災として表示され，通常青色で表示している地区の丸数字および境界線の内，境界線を赤色で点滅表示する」ことは記載されており，地区の境界線は，他の線とは識別可能に表示されている。
　しかし，「感知器回線Ｌ２」は「Ｐ−ＡＴ感知器３０」が接続されている回線であって，アドレスによって個別に収集する「Ｒ−ＡＴ感知器５０」と異なり，「感知器回線Ｌ２ごとに試験機能付き中継器２０により検出され」るものであり，「Ｒ−ＡＴ感知器５０」については，「Ｒ−ＡＴ感知器５０に該当する火災感知器のシンボルに，丸数字で使われている番号に連続する通し番号が付与され」るものであって，「感知器回線Ｌ２」と「Ｒ−ＡＴ感知器５０」に連続した通し番号が付与されているから，甲５発明の「地区」の境界線は，火災の検出単位を示していると解するのが自然である。
　したがって，甲６記載技術をふまえて，「防火区画で仕切られた警戒区域毎に回線を布設して複数の感知器を設置」することが一般的であることを考慮しても，「感知器回線Ｌ２」の境界線が「防火区画」の境界線であるとは解されないから，甲５発明，甲７記載技術を考慮しても，「複数の防火区画の境界を他の線とは異なる態様の線で示す」ことは記載されていない。
（１−３）甲１発明に，甲２発明あるいは甲３−５発明を適用することについて
　甲１発明は，「警戒区域に設置されている防火戸や防火シャッター，排煙口，垂れ壁等の防災機器の設置位置を表示するためのシンボルマーク」を表示し，「所定レベルを越えるセンサ信号入力があったときに対応するセンサマークを点滅してオペレータに確認を促」すものであって，警戒区域を所定のエリアに区分することは考慮されておらず，甲１発明において，「オペレータに確認を促」すために，所定のエリアに区分する必要性も，２種類の態様の線を用いる必要もない。
　したがって，甲１発明において，甲２発明あるいは甲３−５発明を適用しようとする動機付けが存在しない。
（１−４）小括
　（１−３）に記載したように，甲１発明において甲２発明あるいは甲３−５発明を適用しようとする動機付けが存在しないし，そもそも，甲２発明，甲３−５発明のいずれにも「複数の防火区画の境界を他の線とは異なる態様の線で示す」ことは記載されていないから，「前記平面図の画像において前記建物内の複数の防火区画の境界を他の線とは異なる態様の線で示」すことについて，当業者が容易に発明をすることができた，とはいえない。
（２）相異点２について
　上記「（１）相異点１について」で検討したように，甲２−５発明，甲６記載技術，甲７記載技術には，いずれも「防火区画」に関する記載はないから，「防火区画の名称」を表示することも当然に記載されていない。
３．申立人の主張について
　申立人は，特許異議申立書の２６頁において「警戒区域と防火区画」について「互いに一致するように設定することは，例えば甲第６号証に記載されている。」と主張しているが，甲第６号証には「防火区画で仕切られた警戒区域毎に回線を布設して複数の感知器を設置」と記載されている。ここで「防火区画で仕切られた警戒区域」であるから，「警戒区域」が「防火区画で仕切られ」ること，すなわち「防火区画」は「警戒区域」を仕切ったものであることが記載されているだけであって，警戒区域と防火区画が一致することが記載されているとはいえない。
　上記は，甲第１号証においても，「火災報知設備の監視対象となる警戒区域」や「例えばビル等にあっては階別毎に分けられた警戒区域」および「警戒区域に設置されている防火戸や防火シャッター，排煙口，垂れ壁等の防災機器」と記載されているから，「火災報知設備の監視対象」が「警戒区域」であって，警戒区域内に「防火戸」や「防火シャッター」等の防災機器が設置されているから，「警戒区域」を「警戒区域内に設置されている防火戸」によって仕切ったものが「防火区画」であると理解される。
第６　まとめ
　以上のとおりであるから，特許異議申立書に記載した特許異議申立理由によって，本件請求項１に係る特許を取り消すことはできない。
　また，他に本件請求項１に係る特許を取り消すべき理由を発見しない。
　よって，結論のとおり決定する。
【異議決定日】
令和３年７月３０日（２０２１．７．３０）